【手続補正書】
【提出日】平成17年1月7日(2005.1.7)
【手続補正１】
【補正対象書類名】明細書
【補正対象項目名】特許請求の範囲
【補正方法】変更
【補正の内容】
【特許請求の範囲】
【請求項１】
ディスプレイデバイス上で画像をズーミングする方法であって、
第１の所定のサイズで第１の画像を表示するステップと、
所定の画像サイズに前記第１の画像を拡大または縮小するステップと、
前記拡大または縮小した画像の少なくとも１つを表示するステップと、
第２の所定の画像サイズで第２の画像を表示するステップと
を含むことを特徴とする方法。
【請求項２】
前記第１の画像は符号化されたフォーマットでメモリー記憶手段に記憶され、前記表示するステップはさらに表示のために前記第１の画像の復号を含むことを特徴とする請求項１に記載の方法。
【請求項３】
前記第２の画像は符号化されたフォーマットでメモリー記憶手段に記憶され、前記表示するステップはさらに表示のために前記第２の画像の復号を含むことを特徴とする請求項１に記載の方法。
【請求項４】
前記符号化フォーマットは圧縮画像フォーマットであることを特徴とする請求項２または請求項３に記載の方法。
【請求項５】
前記圧縮画像フォーマットはウェーブレット符号化技術により実現されることを特徴とする請求項４に記載の方法。
【請求項６】
前記圧縮画像フォーマットはＪＰＥＧ符号化技術により実現されることを特徴とする請求項４または請求項５に記載の方法。
【請求項７】
前記拡大または縮小は前記第１の画像の画素を操作することにより前記第１の画像のサイズを調節することを含むことを特徴とする請求項１に記載の方法。
【請求項８】
前記拡大は、少なくとも１つの画素値を提供するように画素のグループの値を数学的に操作することと、前記少なくとも１つの画素値を複製することを含むこととを特徴とする請求項７に記載の方法。
【請求項９】
前記縮小は、少なくとも１つの画素値を提供するように画素のグループを数学的に操作することと、前記１つの画素値を前記グループに含まれるより小さい限られた個数の画素に割り当てることとを含むことを特徴とする請求項７に記載の方法。
【請求項１０】
ディスプレイデバイス上に表示するために画像をズーミングするための装置であって、
第１の所定のサイズで前記画像の第１の表現を表示するための手段と、
前記第１の表現を少なくとも１つのさらに所定のサイズに拡大または縮小するための手段と、
前記拡大または縮小した表現を前記更なる所定のサイズの各々で表示するための手段と、
前記画像の第２の表現を第２の所定のサイズで表示するための手段と
を含むことを特徴とする装置。
【請求項１１】
ディスプレイデバイス上に表示する画像をズーミングするためにコンピュータ・プログラムが記録されているコンピュータで読み取り可能な媒体を含むコンピュータ・プログラム製品であって、
第１の所定のサイズで前記画像の第１の表現を表示するための手段と、
前記第１の表現を少なくとも１つのさらに所定のサイズに拡大または縮小するための手段と、
前記拡大または縮小した表現を前記更なる所定のサイズの各々で表示するための手段と、
前記画像の第２の表現を第２の所定のサイズで表示するための手段と
を含むことを特徴とするコンピュータプログラム製品。
【請求項１２】
画像のブラウジングで使用するデジタル画像のサムネイルをズーミングする方法であって、
ディスプレイ手段の表示に利用できる領域と同じアスペクト比を有する少なくとも１つの収容領域に前記サムネイルをレイアウトするステップと、
前記収容領域の利用可能な領域に適合するように前記少なくとも１つの収容領域に含まれる前記サムネイルをスケーリングするステップと
を含むことを特徴とする方法。
【請求項１３】
前記サムネイルの拡大された細部が評価に必要な場合には、前記サムネイルのスケールを拡大するステップをさらに含むことを特徴とする請求項１２に記載の方法。
【請求項１４】
前記サムネイルは、できるだけ大きく、かつ、前記利用可能な表示領域に適合するようにスケーリングされることを特徴とする請求項１３に記載の方法。
【請求項１５】
各々の収容領域で２つまたは３つ以上のグループに前記サムネイルを構成するステップをさらに含むことを特徴とする請求項１２から請求項１４までのいずれか１つに記載の方法。
【請求項１６】
前記グループは階層構造を有することを特徴とする請求項１５に記載の方法。
【請求項１７】
各々の収容領域にレイアウトされた１つまたは２つ以上のグループが、各々の（部分）収容領域にレイアウトされた２つまたは３つ以上の（サブ）グループを含み、各々の（部分）収容領域は親収容領域および前記表示可能な領域と同じアスペクト比を有する請求項１５または１６に記載の方法。
【請求項１８】
画像のブラウジングで使用するデジタル画像の、ディスプレイ手段上に表示されるサムネイルをズーミングするための装置であって、
ディスプレイ手段の利用可能な表示領域と同じアスペクト比を有する少なくとも１つの収容領域に前記サムネイルをレイアウトするための手段と、
前記収容領域の利用可能な領域に適合するように前記少なくとも１つの収容領域に含まれる前記サムネイルをスケーリングするための手段と
を含むことを特徴とする装置。
【請求項１９】
画像のブラウジングで用いるデジタル画像のサムネイルをズーミングするためのコンピュータ・プログラムが記録された、コンピュータで読み取り可能な媒体を有するコンピュータ・プログラム製品であって、
ディスプレイ手段の表示に利用できる領域と同じアスペクト比を有する少なくとも１つの収容領域に前記サムネイルをレイアウトするための手段と、
前記収容領域の利用可能な領域に適合するように前記少なくとも１つの収容領域に含まれる前記サムネイルをスケーリングするための手段と
を含むことを特徴とするコンピュータ・プログラム製品。
【請求項２０】
デジタル画像を表わすサムネイルをスケーリングするための方法であって、サムネイルを提供するように階層表現を用いてデジタル画像を符号化するステップを含むことを特徴とする方法。
【請求項２１】
所望のサイズを有する前記サムネイルを提供するように、複数のスケールの所定の１つで前記デジタル画像の前記階層表現を復号するステップをさらに含むことを特徴とする請求項２０に記載の方法。
【請求項２２】
前記復号した階層表現のスケールが前記サムネイルの所望のサイズと等しいかまたはそれより大きいことを特徴とする請求項２１に記載の方法。
【請求項２３】
前記復号した階層表現のスケールが前記サムネイルの所望のサイズより大きい場合に所望のサイズのサムネイルを提供するように前記復号した階層表現をダウンサンプリングするステップをさらに含むことを特徴とする請求項２１に記載の方法。
【請求項２４】
前記復号した階層表現のスケールが前記サムネイルの所望のサイズより小さい場合に所望のサイズのサムネイルを提供するように前記復号した階層表現をアップサンプリングするステップをさらに含むことを特徴とする請求項２１に記載の方法。
【請求項２５】
所望のサイズを有する前記サムネイルを提供するように前記デジタル画像の前記階層表現を複数のスケールのうちの２つの異なる隣接したスケールで復号するステップをさらに含むことを特徴とする請求項２０に記載の方法。
【請求項２６】
異なる隣接したスケールを有する前記２つの復号した階層表現の一方のスケールが前記所望のサムネイルサイズより大きく、前記２つの復号した階層表現の他方が前記所望のサムネイルサイズより小さい場合に、所望のサイズのサムネイルを提供するように前記２つの復号した階層表現の間を補間するステップをさらに含むことを特徴とする請求項２５に記載の方法。
【請求項２７】
前記符号化ステップは、前記画像に階層化ディスクリート・ウェーブレット変換を適用するステップを含む請求項２０乃至２６のいずれか１つに記載の方法。
【請求項２８】
デジタル画像を表わすサムネイルをスケーリングするための装置であって、
デジタル画像の階層符号化した表現を含むサムネイルを記憶するための手段と、所望のサイズを有する前記サムネイルを提供するように、複数のスケールの少なくとも所定の１つで前記デジタル画像の前記階層表現を復号するための手段とを含むことを特徴とする装置。
【請求項２９】
デジタル画像を表わすサムネイルをスケーリングするためのコンピュータ・プログラムが記録されているコンピュータで読み取り可能な媒体を含むコンピュータ・プログラム製品であって、
デジタル画像の階層符号化表現を含むサムネイルを記憶するための手段と、
所望の寸法を有する前記サムネイルを提供するように、複数のスケールの中の少なくとも所定のひとつで前記デジタル画像の階層化表現を復号するための手段と
を含むことを特徴とするコンピュータ・プログラム製品。
【手続補正２】
【補正対象書類名】明細書
【補正対象項目名】０００８
【補正方法】変更
【補正の内容】
【０００８】
【課題を解決するための手段】
本発明の目的は、従来の構成に関連した１つまたは２つ以上の問題を実質的に克服するか、または少なくとも改善することである。
［画像の高速ズーミングのための方法］
本発明の第１の態様によれば、ディスプレイ装置上において画像をズーミングする方法が提供され、該方法は、第１の所定のサイズで第１の画像を表示するステップと、所定のサイズに前記第１の画像を伸展または縮小するステップと、前記伸展または縮小した第１の画像の少なくともひとつを表示するステップと、前記ディスプレイ装置上において第２の所定のサイズで第２の画像を表示するステップとを含む。